(57)【要約】【課題】　単一部品から成り、パネルと組み合わせて使用するのに単純で便利な改善されたスライダーを提供する。【解決手段】　本発明のスライダー（１０）は、単一部品のプラスチック成形体である。そのプラスチック成形体は、縁を備える閉鎖部（２８）と、閉鎖部（２８）に結合された一対の対向するアーム（４４）とを備える。閉鎖部（２８）、及びアーム（４４）は、共通する内側連続表面及び外側連続表面（２０，２２）を有し、内側表面及び外側表面（２０，２２）は、対向し、厚さの寸法を定め、かつ縁（２４）に隣接する。アーム（４４）の各々は、内側表面及び外側表面（２０，２２）に垂直である曲げ軸（５４）の各々について、弾性的に曲げることが可能である。【選択図】図１
2004126596.tif 000002
【特許請求の範囲】
【請求項１】
　単一部品のプラスチック成形体であるスライダーであって、
　前記プラスチック成形体は、
　縁を備える閉鎖部と、
　前記閉鎖部に結合された一対の対向するアームと
　を備え、
　前記閉鎖部、及び前記アームは、共通する内側連続表面、及び外側連続表面を有し、
　前記内側表面、及び前記外側表面は、対向し、厚さの寸法を定め、かつ前記縁に隣接し、
　前記アームの各々は、前記内側表面、及び前記外側表面に垂直である曲げ軸の各々について、弾性的に曲げることが可能であるスライダー。
【請求項２】
　開口を有する支持部と、
　前記支持部に対して保持されるスライダーと
　を備えるパネルアセンブリであって、
　前記スライダーは、閉鎖部を有し、前記閉鎖部が前記開口から離れる開位置と、前記閉鎖部が前記開口を覆う閉位置との間で、連続する中間位置を通って、前記支持部に沿って可動であり、
　前記支持部及び前記スライダーは、それぞれ、単一部品のプラスチック成形体であり、前記支持部及び前記スライダーのうち一方は、スナップアクションカムを有し、他方は、カム従動子を有し、
　前記カム及び前記カム従動子は、前記スライダーを、前記中間位置から離れて、前記開位置または前記閉位置の近くに寄せるパネルアセンブリ。
【請求項３】
　支持部と、
　前記支持部に取り付けられたスライダーと
　を備えるパネルアセンブリであって、
　前記支持部は、
　互いに対向する前面及び背面と、
　前記前面及び前記背面の間に貫通する開口と
　前記前面及び前記背面のうち一方から外側に突き出た複数のガイドと
　を備え、
　前記スライダーは、
　閉鎖部と、
　前記閉鎖部に結合された片寄せ部と
　を備え、
　均一な断面を有し、開位置と閉位置との間で、前記ガイドに沿って往復してスライド可能であり、
　前記閉鎖部は、前記閉位置において前記開口を覆い、前記開位置において前記開口から離れて位置され、
　前記片寄せ部は、片寄せられていない位置から片寄せられた位置まで、前記閉鎖部に向かって、弾性的に曲げることが可能であるパネルアセンブリ。
【発明の詳細な説明】
【技術分野】
【０００１】
　本発明は、レンズカバー又はスライダーによって覆われるレンズ開口、又は他の開口を有するカメラに関し、より詳細には、単一部品のレンズカバー又はスライダーを備えたカメラのフロントパネルアセンブリ、又は他のパネルアセンブリに関する。
【背景技術】
【０００２】
　カメラ、及び他の手持ち式の装置は、一般的に、可動カバーによって閉じられる開口を備えた１以上の部材を含むケースを有する。多くのカメラについて、フロントパネルは、レンズ開口を開けたり閉じたりする所定の位置で、又はその位置から外れて動くレンズカバーを有する。例えば、米国特許第４２９５７０６号、第５９１３０８９号、第４２８３１３２号、及び第３９４２８６４号は、全て、可動レンズカバーを有するカメラを開示する。これらのカメラのなかには、レンズカバーが、開位置、及び閉位置に寄せられ、かつ開位置と閉位置の間の中間位置を外して寄せられるスナップアクションを提供するものがある。
【０００３】
　使い捨てカメラは、非常に厳しい費用の制約を受け、市場で売買されている使い捨てカメラは、レンズカバーの使用を避けている。米国特許第５０４７７９２号は、標準的な接眼レンズと、マクロレンズとを切り替えるオーバーセンター（スナップアクション）機構の使用を開示する。しかし、これは、レンズカバーというよりも本来の機能的な特徴である。上述された特許におけるレンズカバーのほとんどは、比較的多数の部品を有する。多くの部品を組み立てるために要求される複数のステップは、部品それ自体の費用に加えて、さらに費用を追加する。フロントカバーパネルに加えて、滑るレンズカバーが、２個又は３個の部品によって提供されるカメラが、市場で売買される。場合によって、そのカバーは、オーバーセンター機構を組み込む。
【０００４】
　米国特許第４２９５７０６号は、レンズバレルの端部にきっちり合う、単一部品のレンズのカバーサンシェイドを開示する。そのレンズカバーサンシェイドは、オーバーセンター機構を組み込む。欠点は、単一の機構が製造されるとき、それが、２つの部品から組み合わせられることである。
【０００５】
　使い捨てカメラは、リサイクル工程によって、更なる制約が課せられる。使い捨てカメラのフロントカバーは、一般的に、製造原料の形態で、カメラ製造者によって、再利用される。部品に使用される材料は、使い捨てカメラが分解された後もフロントカバーに付いたままであり、これを考慮して選択される。例えば、プリントされるラベルは、紙ではなく相溶性ポリマーから成る。
【特許文献１】米国特許第４２９５７０６号明細書
【特許文献２】米国特許第５９１３０８９号明細書
【特許文献３】米国特許第４２８３１３２号明細書
【特許文献４】米国特許第３９４２８６４号明細書
【特許文献５】米国特許第５０４７７９２号明細書
【発明の開示】
【発明が解決しようとする課題】
【０００６】
　従って、単一部品から成り、パネルと組み合わせて使用するのに単純で便利な改善されたスライダー、及びそのスライダーを含むパネルアセンブリを提供することが望ましい。
【課題を解決するための手段】
【０００７】
　本発明によるスライダーは、単一部品のプラスチック成形体である。前記のプラスチック成形体は、縁を備える閉鎖部と、前記の閉鎖部に結合された一対の対向するアームとを備える。前記の閉鎖部、及び前記のアームは、共通する内側連続表面、及び外側連続表面を有する。前記の内側表面、及び前記の外側表面は、対向し、厚さの寸法を定め、かつ前記の縁に隣接する。前記のアームの各々は、前記の内側表面、及び前記の外側表面に垂直である曲げ軸の各々について、弾性的に曲げることが可能である。
【０００８】
　本発明によるパネルアセンブリは、開口を有する支持部と、前記の支持部に対して保持されるスライダーとを備える。前記のスライダーは、閉鎖部を有し、前記の閉鎖部が前記の開口から離れる開位置と、前記の閉鎖部が前記の開口を覆う閉位置との間で、連続する中間位置を通って、前記の支持部に沿って可動である。前記の支持部及び前記のスライダーは、それぞれ、単一部品のプラスチック成形体であり、前記の支持部及び前記のスライダーのうち一方は、スナップアクションカムを有し、他方は、カム従動子を有する。前記のカム及び前記のカム従動子は、前記のスライダーを、前記の中間位置から離れて、前記の開位置または前記の閉位置の近くに寄せる。
【発明の効果】
【０００９】
　本発明により、単一部品から成り、パネルと組み合わせて使用するのに単純で便利な改善されたスライダー、及びそのようなスライダーを含むパネルアセンブリが提供される。
【発明を実施するための最良の形態】
【００１０】
　以下に、本発明の実施の形態について詳細に説明する。
　スライダー１０は、パネル、すなわち支持体１２と共に組み立てられて、パネルアセンブリ１４を提供する、単一部品のプラスチック成形体である。その成形体は、本体１６と、グリップ１８とを備える。本体１６は、内側連続表面２０、外側連続表面２２、及び内側表面２０と外側表面２２との間に存在する縁２４を備える。内側表面２０と外側表面２２は対向し、厚さの寸法（図１において、２つの矢印２６によって示される。）を定める。この厚さの寸法は小さく、特定の実施の形態において、その厚さは、本体１６に渡って均一である。これは、スライダーに必要とされる空間を小さく保つ。本体１６は、閉鎖部２８及び片寄せ部（ｂｉａｓｅｒ）３０を含む。
【００１１】
　パネルアセンブリ１４のパネル１２は、対向する前表面３２と背面３４、及び前表面３２と背面３４との間に貫通する開口３５を備える。パネル１２は、スライダー１０のために軌道３８を定める複数のガイド３６を有する。それらのガイド３６は、軌道３８が開口３５を横切るように、開口３５に近接して位置される。
【００１２】
　スライダー１０は、（開口３５を）開ける位置（以下、「開位置」という。）と閉じる位置（以下、「閉位置」という。）との間で、ガイド３６によって定められる軌道３８に沿って、往復してスライドすることが可能である。閉鎖部２８は、閉位置において、開口３５を覆う。閉鎖部２８は、開位置において、開口３５から離れて位置される。スライダー１０は、開位置及び閉位置の一方から他方まで、連続した中間位置を介して、スライド可能である。
【００１３】
　ガイド３６の構成は、重要ではない。図３及び図４に示される実施の形態において、ガイド３６は、フロントパネル１２の後方への突起である。各々の突起は、スライダー１０と重なる小さいへり、又はビード（分離して参照されない）を有する。閉鎖部２８の縁２４は、ガイド３６に載る。複数のガイド３６が、ガイド３６間にスライダー１０を保持し、フロントパネル１２上にスライダー１０を保持するように、スライダー１０の対向する両側に一対で位置される。スライダー１０は、隣接するガイド３６間の間隔を増すように、フロントパネル１２をわずかに曲げることによって軌道３８上の所定の位置にはめ込まれてもよい。
【００１４】
　図５−７に示される実施の形態において、ガイド３６は、スライダー１０に対して連続的なトンネルを形成するように結合される。ガイド３６は、曲線軌道３８を定め、スライダー１０は、それらの位置の間で軌道３８をたどる。閉鎖部２８は、曲線形状に製造される、又は曲線軌道３８をたどるように弾性的に曲げることが可能である。
【００１５】
　また、スライダー１０は、フレームアセンブリ等の、パネルアセンブリ１４とは別の構造の一部であるガイド３６（図示されない）によって、所定の位置に保持することが可能である。この方法は、好ましくない。ガイド３６は、カメラが完全に組み立てられるとき、及びパネル１２がカメラ４０の残りの部分３９から分けられるときに、パネル１２上にスライダー１０を保持することが好ましい。
【００１６】
　閉鎖部２８は、主要部分４２と、主要部分４２から外側に延びたタング（ｔａｎｇ）４３とを備える。図１の実施の形態において、タング４３は、片寄せ部３０の複数のアーム４４の間に位置される。グリップ１８は、閉鎖部２８に結合され、閉鎖部２８から前方に突き出る。図１の実施の形態において、グリップ１８は、タング４３から前方に突き出る。グリップ１８は、パネル１２の隙間４６から突き出て、ユーザによって操作され、スライダー１０の位置を変化させる。閉鎖部２８は、主要部４２から外側に存在する、タング４３に対向する任意の拡張部分を有していてよい。
【００１７】
　片寄せ部３０は、片寄せられていない位置から片寄せられた位置まで、閉鎖部２８に向けて弾性的に曲げることができる。片寄せ部３０は、１以上のアーム４４を有する。片寄せ部３０は、２以上の位置の間で、スライダー１０の動きを偏らせる。いくつかの実施の形態において、片寄せ部３０は、互いに対向するアーム４４を有する。片寄せ部３０は、ガイド３６によって定められた軌道３８において、スライダー１０を弾性的に中心にする。
【００１８】
　特定の実施の形態において、支持部１２とスライダー１０のうち一方は、１以上のスナップアクションカム５０を有し、他方は、それぞれのカム従動子５２を有する。図示された実施の形態において、支持部１２は、一対の対向するスナップアクションカム５０を有し、スライダー１０は、一対の対応するカム従動子５２を有する。カム５０、及びそれぞれのカム従動子５２は、スライダー１０を、中間位置から離れて、開位置、及び閉位置の近くに寄せる。また、図示された実施の形態において、カム５０、及びそれぞれのカム従動子５２は、スライダー１０を、弾性的に、ガイド３６に相対的に中心に寄せる。
【００１９】
　片寄せ部３０のアーム４４は、曲げることに対する内部抵抗による弾性的なバイアスを提供する。片寄せ部３０の各々のアーム４４を曲げることは、曲げ軸５４についてなされる（曲げることは、ある程度、アームの長さ全体にわたって行われる。曲げ軸５４は、カム５０、又はアーム４４の他の接触表面の回転によって定められる。）。図示された実施の形態において、曲げ軸５４は、それぞれ、スライダー１０の内側表面２０、及び外側表面２２に垂直である。曲線状のスライダー１０について、曲げ軸５４は、局所的に、内側表面２０、及び外側表面２２に垂直である。また、平坦なスライダー１０について、曲げ軸５４は、内側表面２０、及び外側表面２２のいずれかに渡る平面に垂直である。また、平坦なスライダー１０、又は軌道３８に沿って湾曲したスライダー１０について、複数の曲げ軸５４は、パネル１２の表面において平行であり、かつ曲げ軸５４の間に描かれた想像上の線に垂直である。この特徴は、スライダー１０の本体１６と、スライダー１０に必要とされる軌道３８とが、とても薄くなることを可能にする。
【００２０】
　特定の実施の形態において、本体１６の厚さは、パネル１２の厚さと同じである。図５から図７に示された実施の形態において、パネルアセンブリ１４のガイド３６における厚さは、パネル１２それ自体の３倍よりわずかに厚いだけである。
【００２１】
　スライダー１０に使用される材料は、予想される使用の途中に弾力的に曲がる片寄せ部３０を提供するように選択される。この目的にふさわしい材料が、当業者に周知である。特定の実施の形態において、パネル１２、及びスライダー１０は、それぞれ、単一部品のプラスチック成形体であり、各々の材料は、再利用が容易になるように選択できる。パネル１２、及びスライダー１０は、ポリマー同士のポリマーブレンドの相溶性熱可塑性材料から成ってもよい。この方法は適当な特性と、ポリマー原料の均一な混合が提供されることを想定する。単純な方法は、パネル１２と、スライダー１０の両方を、同じ熱可塑性樹脂から作製することである。このための適当な材料は、ポリスチレン、又はポリカーボネートである。
【００２２】
　追加の特徴がスライダー１０に提供できる。例えば、スライダー１０は、追加の機能を提供する拡張部４８を有してもよい。図３−４に示される実施の形態において、第１の拡張部４７は、スライダー１０が閉位置にあるとき、ビューファインダ開口４９を、部分的に又は全体的にブロックし、スライダー１０が開位置にあるとき、ビューファインダ開口４９から離される。これは、スライダーが閉位置にあるとき、ユーザに視覚的に注意を喚起する。第２の拡張部４８が提供され、シャッターリリース５６等の、ユーザ制御の経路をブロックする。第２の拡張部４８は、スライダー１０が閉位置にあるとき、シャッターリリース５６の経路をブロックする。第２の拡張部４８は、スライダー１０が開位置にあるとき、シャッターリリース５６の経路から離れる。また、１以上のスイッチ部品５６（図示されない）が、スライダー１０に取り付けられてもよい。あるいは、図３及び図４に示されるように、スライダー１０の１以上の部品が、パネル１２に取り付けられたスイッチを操作してもよい。
【００２３】
　パネルアセンブリ１４は、本明細書では、一般的に、フロントカバーの内側表面２０上に位置されるスライダー１０に関して説明された。また、スライダー１０は、フロントカバーというよりむしろ、フロントカバーの外側表面、又は内側パネルの表面の１つに位置されてもよい。開口３５は、接眼レンズ以外の他のほかのものを覆うことができる。例えば、スライダー１０は、カメラの背面上のディスプレイ（図示されない）を覆うことができる。
【００２４】
　本発明は、特にある好ましい実施の形態を参照して詳細に説明されたが、本発明の範囲内で修正及び変形が可能なことは明らかである。
【００２５】
　本発明の他の特徴は、以下の番号が付された文章で説明される。
　（１）単一部品のプラスチック成形体であるスライダーであって、前記成形体は、縁を有する閉鎖部と、前記閉鎖部に結合された一対の対向するアームを有し、前記アームと前記閉鎖部は、共通する内側連続表面と外側連続表面とを有し、前記内側表面と前記外側表面は対向し、厚さの寸法を区画し、前記縁に隣接し、前記アームの各々は、前記内側表面と前記外側表面に垂直である曲げ軸の各々について、弾性的に曲げることが可能である。
　（２）前記曲げ軸が平行であり、前記アームの各々が、前記閉鎖部に対して弾性的に曲げることが可能である文章１に記載のスライダー。
　（３）前記閉鎖部は、主要部と、前記アームの間で前記主要部から外側に延びたタングとを有する文章１に記載のスライダー。
　（４）前記成形体が、前記タングから前方に突き出たグリップを有する文章３に記載のスライダー。
　（５）前記閉鎖部は、前記主要部から前記タングと反対に外側に延びた拡張部を備える文章３に記載のスライダー。
　（６）前記閉鎖部と前記アームが均一な厚さを有する文章５に記載のスライダー。
　（７）さらに、前記閉鎖部に取り付けられたスイッチ部品を備える請求項１に記載のスライダー。
　（８）開口部を有する支持部と、前記支持部に対して保持されるスライダーとを備えるパネルアセンブリであって、前記スライダーは閉鎖部を有し、前記スライダーは、前記閉鎖部が前記開口から離れたところにある開位置と、前記閉鎖部が前記開口を覆う閉位置との間で、連続した中間位置を通って、前記支持部に沿って可動であり、前記支持部、及び前記スライダーは、それぞれ、単一部品のプラスチック成形体であり、前記支持部と前記スライダーのうち一方は、スナップアクションカムを有し、他方は、カム従動子を有し、前記カムと前記カム従動子は、前記スライダーを、前記中間位置から離れて、前記開位置及び前記閉位置の近くに寄せるパネルアセンブリ。
（９）前記スライダーが、一対の前記カムと、一対の前記カム従動子を有し、各々の前記カムと、各々の前記カム従動子は、前記スライダーを、前記中間位置から離れて、前記開位置と閉位置の近くに寄せ、前記カムとそれぞれのカム従動子は、前記スライダーを前記ガイドに相対的に中心に寄せる文章８に記載のパネルアセンブリ。
（１０）前記スライダーが均一の厚さを有する文章９に記載のパネルアセンブリ。
（１１）前記ガイドが、曲線状の軌道を定め、前記スライダーが、前記開位置と閉位置との間で前記軌道をたどる文章９に記載のパネルアセンブリ。
（１２）前記閉鎖部が、前記開位置と閉位置の少なくとも１つにおいて、弾性的に曲げられる文章１１に記載のパネルアセンブリ。
（１３）前記支持部と前記スライダーが、ポリマー同士のポリマーブレンド相溶性熱可塑性樹脂である文章８に記載のパネルアセンブリ。
（１４）前記支持部と前記スライダーが、共に、同じ熱可塑性樹脂から成る文章８に記載のパネルアセンブリ。
（１５）対向する前面と背面とを有する支持部と、前記前面と前記背面との間に貫通する開口と、前記支持部に取り付けられたスライダーとを有するパネルアセンブリであって、前記支持部は、前記前面と前記背面の一方から突き出る複数のガイドを有し、前記スライダーは、均一な断面を有し、前記スライダーは、閉鎖部と前記閉鎖部に結合された片寄せ部とを有し、前記スライダーは、開位置と閉位置の間で前記ガイドに沿って、往復してスライド可能であり、前記閉鎖部は、前記閉位置において、前記開口を覆い、前記閉鎖部は、前記開位置において、前記開口から離れて位置され、前記片寄せ部は、片寄せられていない位置から片寄せられた位置に、前記閉鎖部に向かって弾性的に曲げることが可能であるパネルアセンブリ。
（１６）前記片寄せ部は、前記ガイドによって定められた軌道において、前記スライダーを弾性的に中心に寄せる文章１５に記載のパネルアセンブリ。
（１７）前記片寄せ部が、一対の対向するアームを有し、前記アームが、前記閉鎖部に向かって弾性的に曲げることが可能である文章１６に記載のパネルアセンブリ。
（１８）さらに、前記閉鎖部に結合されたグリップを備える文章１６に記載のパネルアセンブリ。
（１９）前記支持部は、ユーザ制御経路を定め、ビューファインダ開口を備え、前記スライダーは、前記閉鎖部に結合された第１及び第２の拡張部を有し、前記第１の拡張部は、少なくとも、前記ビューファインダ開口を部分的にブロックし、前記第２の拡張部は、前記閉位置において、前記ユーザ制御経路をブロックし、前記第１及び第２の拡張部は、前記開位置において、前記ビューファインダ開口、及び前記ユーザ制御経路から離れて位置される文章１５に記載のパネルアセンブリ。
（２０）さらに、前記スライダーに結合されたスイッチ部品を含み、前記スイッチ部品は、前記スライダーの、前記開位置と前記閉位置との間の動きによって、アクティブ状態と非アクティブ状態との間で可動である文章１９に記載のパネルアセンブリ。
（２１）対向する前面と背面とを有する支持部と、前記前面と前記背面との間に貫通する開口と、前記支持部に取り付けられたスライダーとを備えるパネルアセンブリであって、前記支持部は、前記前面及び前記背面の一方から外側に向かって突き出る複数のガイドを有し、前記スライダーは、閉鎖部と、前記閉鎖部に結合された片寄せ部とを有し、前記スライダーは、開位置と閉位置との間で、前記ガイドに沿って往復してスライド可能であり、前記閉鎖部は、前記閉位置において前記開口を覆い、前記閉鎖部は、前記開位置において、前記開口から離れ、前記片寄せ部は、前記スライダーを、前記中間位置から離れて、かつ前記開位置及び前記閉位置の近くに寄せ、前記片寄せ部は、前記スライダーを、弾性的に、前記ガイドに相対的に中心に寄せるパネルアセンブリ。
（２２）前記片寄せ部は、さらに、一対の対向するアームを備え、前記アームの各々が、前記閉鎖部に結合され、前記アームの各々が、前記閉鎖部に向かって弾性的に曲げることが可能である文章２１に記載のパネルアセンブリ。
（２３）前記スライダーが、単一部品のプラスチック成形体であり、前記アームと前記閉鎖部は、共通する内側連続表面と外側連続表面とを有し、前記内側表面と前記外側表面は対向し、厚さの寸法を区画し、前記アームの各々は、前記内側表面、及び前記外側表面に垂直である曲げ軸のそれぞれについて弾性的に曲げることが可能である文章２１、又は文章２２のパネルアセンブリ。
（２４）前記閉鎖部は、主要部と、前記アームの間で前記主要部から外側に延びたタングとを有し、前記成形体は、前記タングから前方に向かって突き出るグリップを含む文章２１−２３のいずれかに記載のパネルアセンブリ。
（２５）前記曲げ軸が平行である文章２３又は２４に記載のパネルアセンブリ。
（２６）前記スライダーが均一の断面を有する文章２１−２５のいずれかに記載のパネルアセンブリ。
（２７）前記ガイドが曲線状の軌道を定め、前記スライダーが、前記開位置と前記閉位置の間で前記軌道をたどり、前期閉鎖部は、前記開位置と前記閉位置の少なくとも１つにおいて弾性的に曲げられる文章２１−２６のいずれかに記載のパネルアセンブリ。
（２８）前記支持部が、単一部品のプラスチック成形体である文章２１−２７のいずれかに記載のパネルアセンブリ。
（２９）前記支持部と前記スライダーが、ポリマー同士のポリマーブレンド相溶性熱可塑性樹脂である文章２１から２８のいずれかに記載のパネルアセンブリ。
（３０）前記支持部がユーザ制御経路を定め、かつビューファインダ開口を有し、前記スライダーが、前記閉鎖部に結合された第１及び第２の拡張部を有し、前記第１の拡張部は、少なくとも部分的に、前記ビューファインダ開口をブロックし、前記第２の拡張部は、前記閉位置において、前記ユーザ制御経路をブロックし、前記第１及び第２の拡張部は、前記開位置において、前記ビューファインダ開口と前記ユーザ制御経路から外れる文章２１−２９のいずれかに記載のパネルアセンブリ。
【図面の簡単な説明】
【００２６】
【図１】ある実施の形態のスライダーの斜視図
【図２】図１のスライダーを含むフロントパネルアセンブリを備えたカメラの部分分解斜視図。
【図３】閉位置にある図１のスライダーを含む、別の実施の形態のフロントカバーパネルアセンブリの背面図。
【図４】スライダーが開位置にある図３と同様の図。
【図５】閉位置にある図１のスライダーを含む、別の実施の形態のフロントパネルアセンブリの図式的な断面図。
【図６】中間位置にあるスライダーを含む、図５と同様の図。
【図７】開位置にあるスライダーを含む、図５と同様の図。
【符号の説明】
【００２７】
　１０　スライダー
　１６　本体
　１８　グリップ
　２０　内側連続表面
　２２　外側連続表面
　２４　縁
　３０　片寄せ部
　３５　開口
　４２　主要部分
　４３　タング
　４４　アーム
　４８　第２の拡張部
　５０　スナップアクションカム
　５２　カム従動子
　５４　曲げ軸
【図１】
2004126596.tif 000003
【図２】
2004126596.tif 000004
【図３】
2004126596.tif 000005
【図４】
2004126596.tif 000006
【図５】
2004126596.tif 000007
【図６】
2004126596.tif 000008
【図７】
2004126596.tif 000009